(57)【要約】【課題】  表示する広告の変更が容易で、且つ対象者を絞り込んだ効果的な広告を行うことができる情報提供システムを提供する。【解決手段】  管理用サーバは、依頼主用コンピュータが店舗等のトイレや地域等の条件を入力して送信してきたときに、検索して店舗等のリストを送信する機能25と、店舗等のリストに基づいて選択された店舗等に対して、依頼者の広告のデザインのデータを転送する機能27と、利用者が携帯電話を用いてトイレ内に表示されている管理用ホームページアドレスにアクセスしたときに、利用者の携帯電話の表示部に、トイレ毎に付与された識別情報の入力を促す画面を表示する機能28と、利用者が入力画面を用いて識別情報を入力して転送してきたときに、識別情報に対応する依頼者のモバイルサイトにジャンプさせる機能29と、識別情報を入力して転送してきた回数を識別情報毎にカウントする機能30と、を具備する。【選択図】    図２
2005038323.tif 000002
【特許請求の範囲】
【請求項１】
トイレ内の広告の管理を行なう管理者の側に配置された管理用サーバと、広告を依頼する依頼者の側に配置された依頼者用コンピュータと、トイレに広告を掲載することを承諾した店舗等の側に配置された店舗用コンピュータとがネットワークで接続され、
前記管理用サーバは、店舗用コンピュータから送られてくる店舗等の名前、業種、地域、男性用トイレの数、女性用トイレの数、男女共用トイレの数等のデータを含む店舗等データを受けつけて記憶手段に記録する店舗用データ記憶機能と、依頼者用コンピュータから送られてくる依頼主の名前、広告の掲載の開始日、終了日、詳細な情報を提供するためのモバイルサイトのアドレス等のデータを含む依頼者データを受けつけて記憶手段に記憶する依頼者用データ記憶機能と、依頼主用コンピュータから送付される広告のデザインのデータを受けつけて記憶手段に記憶するデザインデータ記憶機能と、依頼主用コンピュータが広告の掲載を希望する店舗等のトイレや地域等の条件を入力して送信してきたときに、前記条件に基づいて前記店舗等データを検索して検索結果である店舗等のリストを前記依頼主用コンピュータに送信する検索機能と、前記検索結果の店舗等のリストに基づいて選択された前記店舗等に対して、前記依頼者の広告のデザインのデータを転送するデザインデータ転送機能と、利用者がモバイルコンピュータを用いて前記トイレ内に表示されている管理用ホームページアドレスにアクセスしたときに、前記利用者のモバイルコンピュータの表示部に、前記トイレ内に表示されているトイレ毎に付与された識別情報の入力を促す入力画面を表示する入力画面表示機能と、前記利用者が前記入力画面を用いて前記識別情報を入力して転送してきたときに、前記識別情報に対応する依頼者の前記モバイルサイトにジャンプさせるジャンプ機能と、前記識別情報を入力して転送してきた回数を前記識別情報毎にカウントするカウント機能と、を備え、
前記依頼主用コンピュータは、前記管理用サーバにアクセスして広告を掲載する店舗等の前記条件を入力する入力機能と、前記検索結果である店舗等のリストに基づいて店舗等を選択する選択機能と、を備え、
前記店舗用コンピュータは、前記管理用サーバから送られてきた広告のデザインのデータを用紙に印刷することにより広告用紙を作成する機能を、備えることを特徴とする情報提供システム。
【請求項２】
前記管理用サーバは、前記カウント機能のカウント値に応じて、前記依頼者に請求する広告費用を算出する広告費用清算機能を備えていることを特徴とする請求項１記載の情報提供システム。
【請求項３】
前記管理用サーバは、前記カウント機能のカウント値に応じて、前記店舗等に支払う広告掲載費用を算出する広告掲載費用清算機能を備えていることを特徴とする請求項１又は２記載の情報提供システム。
【請求項４】
前記広告掲載費用清算機能は、前記広告掲載費用と同等のトイレットペーパの数を算出することを特徴とする請求項３記載の情報提供システム。
【請求項５】
前記管理用サーバは、広告掲載開始や広告掲載終了を通知する掲載広告管理機能を備えていることを特徴とする請求項１、２、３又は４記載の情報提供システム。
【請求項６】
前記識別情報及び前記管理用ホームページは、前記広告用紙に表示されていることを特徴とする請求項１、２、３、４又は５記載の情報提供システム。
【請求項７】
前記店舗用コンピュータは、前記管理用サーバから送られてきた広告のデザインのデータを用紙に印刷する代わりに、各トイレ内に設置した液晶表示装置に表示する機能を有することを特徴とする請求項１、２、３、４又は５記載の情報提供システム。
【請求項８】
前記店舗用コンピュータは、前記広告のデザインのデータをＩＣカード等の情報記憶媒体に記憶させる機能を有し、この情報記憶媒体を介して、各トイレ内に設置した液晶表示装置に前記広告のデザインのデータを転送することを特徴とする請求項７記載の情報提供システム。
【請求項９】
前記店舗用コンピュータと前記液晶表示装置とはネットワーク接続され、前記店舗用コンピュータは前記ネットワークを介して前記液晶表示装置に前記広告のデザインのデータを転送することを特徴とする請求項７記載の情報提供システム。
【請求項１０】
スポーツクラブの各設備毎に設置された双方向通信機能を有する複数の液晶表示装置と、前記液晶表示装置とネットワーク接続された管理用サーバとを備え、
前記液晶表示装置は、前記スポーツクラブの会員の識別情報が記録されている情報記憶媒体の前記識別情報を読み取るための情報読取装置を備え、且つ、前記情報読取装置によって読み取った前記情報記憶媒体の前記識別情報を前記管理用サーバに転送する機能と、前記管理用サーバから転送された広告のデザインのデータを画面に表示する表示機能と、を備え
前記管理用サーバは、前記スポーツクラブを利用する会員の名前、性別、年齢、住所等のデータを含む会員データを記憶手段に記憶する会員データ記憶機能と、広告を表示する対象者となる、入場会員の性別、年齢を含む広告表示条件を設定する設定機能と、前記広告のデザインのデータ毎に前記広告表示条件を記憶するデザインデータ記憶機能と、各設備毎に前記情報読取装置から送られてくる会員の前記識別情報に基づいてその会員が前記広告表示条件を満たしているか否かを判断する判断機能と、前記判断機能が前記広告表示条件を満たしていると判断したときに、満たしていると判断された広告表示条件に対応する前記広告のデザインのデータを前記記憶手段から読み出して前記会員が利用している前記設備の前記液晶表示装置に送るデザインデータ転送機能と、前記広告のデザインのデータを前記液晶表示装置に転送する回数をカウントするカウント機能と、を備えることを特徴とする情報提供システム。
【請求項１１】
前記カウント機能のカウント値に基づいて広告の依頼者に対して請求する広告費用を算出することを特徴とする請求項１０記載の情報提供システム。
【請求項１２】
スポーツクラブに設置された、画像を表示する液晶表示装置と、
前記スポーツクラブを利用する会員の名前、性別、年齢、住所等のデータを含む会員データを記憶手段に記憶する会員データ記憶機能と、広告を表示するときの、入場会員数、性別、年齢を含む広告表示条件を設定する設定機能と、前記液晶表示装置に表示する広告のデザインのデータ毎に前記広告表示条件を記憶するデザインデータ記憶機能と、前記スポーツクラブに入場する会員のデータである入場会員データを記憶する入場会員データ記憶機能と、前記入場会員データに基づいて入場会員の状況が前記広告表示条件を満たすものであるか否かを判断する判断機能と、前記判断機能が前記広告表示条件を満たしていると判断したときに、満たしていると判断された広告表示条件に対応する広告のデザインのデータを前記液晶表示装置に転送するデザインデータ転送機能と、前記広告のデザインのデータを転送する回数を各広告のデザインのデータ毎にカウントするカウント機能と、を備える管理用コンピュータと、を具備することを特徴とする情報提供システム。
【請求項１３】
前記カウント機能のカウント値に基づいて広告の依頼者に対して請求する広告費用を算出することを特徴とする請求項１２記載の情報提供システム。
【請求項１４】
トイレ内の広告の管理を行なう管理者の側に配置された管理用サーバと、広告を依頼する依頼者の側に配置された依頼者用コンピュータと、トイレに広告を掲載することを承諾した店舗等の側に配置された店舗用コンピュータとがネットワークで接続され、
前記管理用サーバは、店舗用コンピュータから送られてくる店舗等の名前、業種、地域、男性用トイレの数、女性用トイレの数、男女共用トイレの数等のデータを含む店舗等データを受けつけて記憶手段に記録する店舗用データ記憶工程と、依頼者用コンピュータから送られてくる依頼主の名前、広告の掲載の開始日、終了日、詳細な情報を提供するためのモバイルサイトのアドレス等のデータを含む依頼者データを受けつけて記憶手段に記憶する依頼者用データ記憶工程と、依頼主用コンピュータから送付される広告のデザインのデータを受けつけて記憶手段に記憶するデザインデータ記憶機能と、依頼主用コンピュータが広告の掲載を希望する店舗等のトイレや地域等の条件を入力して送信してきたときに、前記条件に基づいて前記店舗等データを検索して検索結果である店舗等のリストを前記依頼主用コンピュータに送信する検索工程と、前記検索結果である店舗等のリストに基づいて選択された前記店舗等に対して、前記依頼者の広告のデザインのデータを転送するデザインデータ転送工程と、利用者がモバイルコンピュータを用いて前記トイレ内に表示されている管理用ホームページアドレスにアクセスしたときに、前記利用者のモバイルコンピュータの表示部に、前記トイレ内に表示されているトイレ毎に付与された識別情報の入力を促す入力画面を表示する入力画面表示工程と、前記利用者が前記入力画面を用いて前記識別情報を入力して転送してきたときに、前記識別情報に対応する依頼者の前記モバイルサイトにジャンプさせるジャンプ工程と、前記識別情報を入力して転送してきた回数を前記識別情報毎にカウントするカウント工程と、を備え、
前記依頼主用コンピュータは、前記管理用サーバにアクセスして広告を掲載する店舗等の前記条件を入力する入力工程と、前記検索結果である店舗等のリストに基づいて店舗等を選択する選択工程と、を備え、
前記店舗用コンピュータは、前記管理用サーバから送られてきた広告のデザインのデータを用紙に印刷することにより広告用紙を作成する工程を、備えることを特徴とする情報提供方法。
【請求項１５】
スポーツクラブの各設備毎に設置された双方向通信機能を有する複数の液晶表示装置と、管理用サーバとがネットワーク接続され、
前記液晶表示装置は、会員毎に付与された識別情報を情報読取装置によって読み取って前記管理用サーバに転送する工程と、前記管理用サーバから転送された広告のデザインのデータを画面に表示する表示工程と、を備え
前記管理用サーバは、前記スポーツクラブを利用する会員の名前、性別、年齢、住所等のデータを含む会員データを記憶手段に記憶する会員データ記憶工程と、広告を表示する対象者となる、入場会員の性別、年齢を含む広告表示条件を設定する設定工程と、前記広告のデザインのデータ毎に前記広告表示条件を記憶するデザインデータ記憶工程と、各設備毎に前記情報読取装置から送られてくる会員の前記識別情報に基づいてその会員が前記広告表示条件を満たしているか否かを判断する判断工程と、前記判断工程で前記広告表示条件を満たしていると判断されたときに、満たしていると判断された広告表示条件に対応する前記広告のデザインのデータを前記記憶手段から読み出して前記会員が利用している前記設備の前記液晶表示装置に送るデザインデータ転送工程と、前記広告のデザインのデータを前記液晶表示装置に転送する回数をカウントするカウント工程と、を備えることを特徴とする情報提供方法。
【請求項１６】
スポーツクラブを利用する会員の名前、性別、年齢、住所等のデータを含む会員データを記憶手段に記憶する会員データ記憶工程と、広告を表示するときの、入場会員数、性別、年齢を含む広告表示条件を設定する設定工程と、スポーツクラブ内に配置された液晶表示装置に表示する広告のデザインのデータ毎に前記広告表示条件を記憶するデザインデータ記憶工程と、前記スポーツクラブに入場する会員のデータである入場会員データを記憶する入場会員データ記憶工程と、前記入場会員データに基づいて入場会員の状況が前記広告表示条件を満たすものであるか否かを判断する判断工程と、前記判断工程で前記広告表示条件を満たしていると判断されたときに、満たしていると判断された広告表示条件に対応する広告のデザインのデータを前記液晶表示装置に転送するデザインデータ転送工程と、前記広告のデザインのデータを転送する回数を各広告のデザインのデータ毎にカウントするカウント工程と、を備えることを特徴とする情報提供方法。
【発明の詳細な説明】
【技術分野】
【０００１】
本発明は、例えば、不特定の人が使用するトイレ等の場所において、広告を行うことができる情報提供システムに関するものである。
【背景技術】
【０００２】
本出願人は、既に、トイレ等の場所において広告を行なうための情報提供システムを出願している（特開2002-83218号公報）。この特開2002-83218号公報の発明では、予めトイレに管理用ホームページのアドレスと各トイレ毎に付与された識別番号とを表示しておく。トイレの利用者がトイレ内に表示されている管理用ホームページのアドレスをみて、携帯電話等を用いてアクセスしてきたときに、トイレの識別番号の入力を促す画面を表示し、利用者がその識別番号を入力して転送してきたときに、その識別番号に応じて、対応する依頼主のホームページ等にジャンプさせることにより、広告を行なうものである。
【０００３】
【特許文献１】特開２０００２−８３２１８号公報
【発明の開示】
【発明が解決しようとする課題】
【０００４】
しかしながら、上記の従来の広告方法では、トイレの利用者からアクセスを待って広告を表示するので、直接的な広告を行なうことができず、インパクトが弱いところがあった。
【０００５】
一方、トイレットペーバホルダなどの表面に直接広告を記載する方法は、インパクトはあるが、広告の内容を変更するときに、例えば専門の看板業者等が内容を変更する作業を行なう必要があり、手間が掛かるだけでなく、交換のための人件費が嵩み、広告費用が高額になるという問題がある。
【０００６】
また、例えばスポーツクラブでは、会員は各種の設備を用いて単純な反復練習を行うことが多い。このため、スポーツクラブには、会員がテレビ等の画面を見ながら練習できるように、液晶表示装置等の表示装置が配置されている。また、会員の名前、年齢、住所などのデータを管理するためのコンピュータなども配置されている。かかる表示装置やコンピュータは高価であるので、これらの装置のより有効な利用が望まれている。
【０００７】
本発明は上記事情に基づいてなされたものであり、表示する広告の変更が容易で、且つ対象者を絞り込んだ効果的な広告を行うことができる情報提供システム及び情報提供方法を提供することを目的とする。
【課題を解決するための手段】
【０００８】
上記目的を達成するために本発明に係る情報提供システムは、トイレ内の広告の管理を行なう管理者の側に配置された管理用サーバと、広告を依頼する依頼者の側に配置された依頼者用コンピュータと、トイレに広告を掲載することを承諾した店舗等の側に配置された店舗用コンピュータとがネットワークで接続され、前記管理用サーバは、店舗用コンピュータから送られてくる店舗等の名前、業種、地域、男性用トイレの数、女性用トイレの数、男女共用トイレの数等のデータを含む店舗等データを受けつけて記憶手段に記録する店舗用データ記憶機能と、依頼者用コンピュータから送られてくる依頼主の名前、広告の掲載の開始日、終了日、詳細な情報を提供するためのモバイルサイトのアドレス等のデータを含む依頼者データを受けつけて記憶手段に記憶する依頼者用データ記憶機能と、依頼主用コンピュータから送付される広告のデザインのデータを受けつけて記憶手段に記憶するデザインデータ記憶機能と、依頼主用コンピュータが広告の掲載を希望する店舗等のトイレや地域等の条件を入力して送信してきたときに、前記条件に基づいて前記店舗等データを検索して検索結果である店舗等のリストを前記依頼主用コンピュータに送信する検索機能と、前記検索結果の店舗等のリストに基づいて選択された前記店舗等に対して、前記依頼者の広告のデザインのデータを転送するデザインデータ転送機能と、利用者がモバイルコンピュータを用いて前記トイレ内に表示されている管理用ホームページアドレスにアクセスしたときに、前記利用者のモバイルコンピュータの表示部に、前記トイレ内に表示されているトイレ毎に付与された識別情報の入力を促す入力画面を表示する入力画面表示機能と、前記利用者が前記入力画面を用いて前記識別情報を入力して転送してきたときに、前記識別情報に対応する依頼者の前記モバイルサイトにジャンプさせるジャンプ機能と、前記識別情報を入力して転送してきた回数を前記識別情報毎にカウントするカウント機能と、を備え、前記依頼主用コンピュータは、前記管理用サーバにアクセスして広告を掲載する店舗等の前記条件を入力する入力機能と、前記検索結果である店舗等のリストに基づいて店舗等を選択する選択機能と、を備え、前記店舗用コンピュータは、前記管理用サーバから送られてきた広告のデザインのデータを用紙に印刷することにより広告用紙を作成する機能を、備えることを特徴とするものである。
【０００９】
また、本発明に係る情報提供システムは、スポーツクラブの各設備毎に設置された双方向通信機能を有する複数の液晶表示装置と、前記液晶表示装置とネットワーク接続された管理用サーバとを備え、前記液晶表示装置は、前記スポーツクラブの会員の識別情報が記録されている情報記憶媒体の前記識別情報を読み取るための情報読取装置を備え、且つ、前記情報読取装置によって読み取った前記情報記憶媒体の前記識別情報を前記管理用サーバに転送する機能と、前記管理用サーバから転送された広告のデザインのデータを画面に表示する表示機能と、を備え、前記管理用サーバは、前記スポーツクラブを利用する会員の名前、性別、年齢、住所等のデータを含む会員データを記憶手段に記憶する会員データ記憶機能と、広告を表示する対象者となる、入場会員の性別、年齢を含む広告表示条件を設定する設定機能と、前記広告のデザインのデータ毎に前記広告表示条件を記憶するデザインデータ記憶機能と、各設備毎に前記情報読取装置から送られてくる会員の前記識別情報に基づいてその会員が前記広告表示条件を満たしているか否かを判断する判断機能と、前記判断機能が前記広告表示条件を満たしていると判断したときに、満たしていると判断された広告表示条件に対応する前記広告のデザインのデータを前記記憶手段から読み出して前記会員が利用している前記設備の前記液晶表示装置に送るデザインデータ転送機能と、前記広告のデザインのデータを前記液晶表示装置に転送する回数をカウントするカウント機能と、を備えることを特徴とするものである。
【００１０】
また、本発明に係る情報提供システムは、スポーツクラブに設置された、画像を表示する液晶表示装置と、前記スポーツクラブを利用する会員の名前、性別、年齢、住所等のデータを含む会員データを記憶手段に記憶する会員データ記憶機能と、広告を表示するときの、入場会員数、性別、年齢を含む広告表示条件を設定する設定機能と、前記液晶表示装置に表示する広告のデザインのデータ毎に前記広告表示条件を記憶するデザインデータ記憶機能と、前記スポーツクラブに入場する会員のデータである入場会員データを記憶する入場会員データ記憶機能と、前記入場会員データに基づいて入場会員の状況が前記広告表示条件を満たすものであるか否かを判断する判断機能と、前記判断機能が前記広告表示条件を満たしていると判断したときに、満たしていると判断された広告表示条件に対応する広告のデザインのデータを前記液晶表示装置に転送するデザインデータ転送機能と、前記広告のデザインのデータを転送する回数を各広告のデザインのデータ毎にカウントするカウント機能と、を備える管理用コンピュータと、を具備することを特徴とするものである。
【００１１】
また、本発明に係る情報提供方法は、トイレ内の広告の管理を行なう管理者の側に配置された管理用サーバと、広告を依頼する依頼者の側に配置された依頼者用コンピュータと、トイレに広告を掲載することを承諾した店舗等の側に配置された店舗用コンピュータとがネットワークで接続され、前記管理用サーバは、店舗用コンピュータから送られてくる店舗等の名前、業種、地域、男性用トイレの数、女性用トイレの数、男女共用トイレの数等のデータを含む店舗等データを受けつけて記憶手段に記録する店舗用データ記憶工程と、依頼者用コンピュータから送られてくる依頼主の名前、広告の掲載の開始日、終了日、詳細な情報を提供するためのモバイルサイトのアドレス等のデータを含む依頼者データを受けつけて記憶手段に記憶する依頼者用データ記憶工程と、依頼主用コンピュータから送付される広告のデザインのデータを受けつけて記憶手段に記憶するデザインデータ記憶機能と、依頼主用コンピュータが広告の掲載を希望する店舗等のトイレや地域等の条件を入力して送信してきたときに、前記条件に基づいて前記店舗等データを検索して検索結果である店舗等のリストを前記依頼主用コンピュータに送信する検索工程と、前記検索結果である店舗等のリストに基づいて選択された前記店舗等に対して、前記依頼者の広告のデザインのデータを転送するデザインデータ転送工程と、利用者がモバイルコンピュータを用いて前記トイレ内に表示されている管理用ホームページアドレスにアクセスしたときに、前記利用者のモバイルコンピュータの表示部に、前記トイレ内に表示されているトイレ毎に付与された識別情報の入力を促す入力画面を表示する入力画面表示工程と、前記利用者が前記入力画面を用いて前記識別情報を入力して転送してきたときに、前記識別情報に対応する依頼者の前記モバイルサイトにジャンプさせるジャンプ工程と、前記識別情報を入力して転送してきた回数を前記識別情報毎にカウントするカウント工程と、を備え、前記依頼主用コンピュータは、前記管理用サーバにアクセスして広告を掲載する店舗等の前記条件を入力する入力工程と、前記検索結果である店舗等のリストに基づいて店舗等を選択する選択工程と、を備え、前記店舗用コンピュータは、前記管理用サーバから送られてきた広告のデザインのデータを用紙に印刷することにより広告用紙を作成する工程を、備えることを特徴とするものである。
【００１２】
また、本発明に係る情報提供方法は、ポーツクラブの各設備毎に設置された双方向通信機能を有する複数の液晶表示装置と、管理用サーバとがネットワーク接続され、前記液晶表示装置は、会員毎に付与された識別情報を情報読取装置によって読み取って前記管理用サーバに転送する工程と、前記管理用サーバから転送された広告のデザインのデータを画面に表示する表示工程と、を備え、前記管理用サーバは、前記スポーツクラブを利用する会員の名前、性別、年齢、住所等のデータを含む会員データを記憶手段に記憶する会員データ記憶工程と、広告を表示する対象者となる、入場会員の性別、年齢を含む広告表示条件を設定する設定工程と、前記広告のデザインのデータ毎に前記広告表示条件を記憶するデザインデータ記憶工程と、各設備毎に前記情報読取装置から送られてくる会員の前記識別情報に基づいてその会員が前記広告表示条件を満たしているか否かを判断する判断工程と、前記判断工程で前記広告表示条件を満たしていると判断されたときに、満たしていると判断された広告表示条件に対応する前記広告のデザインのデータを前記記憶手段から読み出して前記会員が利用している前記設備の前記液晶表示装置に送るデザインデータ転送工程と、前記広告のデザインのデータを前記液晶表示装置に転送する回数をカウントするカウント工程と、を備えることを特徴とするものである。
【００１３】
また、本発明に係る情報提供方法は、スポーツクラブを利用する会員の名前、性別、年齢、住所等のデータを含む会員データを記憶手段に記憶する会員データ記憶工程と、広告を表示するときの、入場会員数、性別、年齢を含む広告表示条件を設定する設定工程と、スポーツクラブ内に配置された液晶表示装置に表示する広告のデザインのデータ毎に前記広告表示条件を記憶するデザインデータ記憶工程と、前記スポーツクラブに入場する会員のデータである入場会員データを記憶する入場会員データ記憶工程と、前記入場会員データに基づいて入場会員の状況が前記広告表示条件を満たすものであるか否かを判断する判断工程と、前記判断工程で前記広告表示条件を満たしていると判断されたときに、満たしていると判断された広告表示条件に対応する広告のデザインのデータを前記液晶表示装置に転送するデザインデータ転送工程と、前記広告のデザインのデータを転送する回数を各広告のデザインのデータ毎にカウントするカウント工程と、を備えることを特徴とするものである。
【発明の効果】
【００１４】
以上説明したように本発明によれば、店舗等コンピュータにより店舗等に表示する広告用紙を印刷することができ、広告用紙の変更は店舗等の従業員等が行なうことができるので、表示する広告の変更が容易で、且つ対象者を絞り込んだ効果的な広告を行うことができる情報提供システム及び情報提供方法することができる。
【００１５】
また、本発明によれば、店舗等コンピュータにより店舗等のトイレに配置された液晶表示装置によって広告を表示するので、表示する広告の変更が容易で、且つ対象者を絞り込んだ効果的な広告を行うことができる情報提供システム及び情報提供方法することができる。
【００１６】
また、本発明によれば、スポーツクラブの各設備ごとに配置された液晶表示装置によって広告を表示するので、表示する広告の変更が容易で、且つ既存のスポーツクラブの会員データを用いて対象者を絞り込んだ効果的な広告を行うことができる情報提供システム及び情報提供方法することができる。
【発明を実施するための最良の形態】
【００１７】
［第１の実施形態］  以下に、本発明の第１実施形態について図面を参照して説明する。図１は、本発明の第１実施形態である情報提供システムの概略図である。本実施形態の情報提供システムは、インターネット等のネットワークを利用して広告を行うためのシステムであり、図１に示すように、店舗等に掲載する広告の管理を行なう管理用サーバ２０と、会社等の依頼を受けて広告を行なう広告代理店に設置してある広告代理店サーバ１１ａ，１１ｂ，１１ｃ，・・・と、広告を行なう店舗等に設置してある店舗端末１２ａ，１２ｂ，・・・と、モバイル端末１３ａ，１３ｂ，１３ｃ，・・・と、を含むものである。管理用サーバ２０と広告代理店サーバ１１と店舗端末１２とは、インターネット１５を介してネットワーク接続されている。管理用サーバ２０は、店舗等に掲載する広告に関する各種のデータなどを記憶する記憶部４０を備えている。なお、本発明は、インターネットに限定されるものではなく、広告代理店サーバ１１と店舗端末１２及び管理用サーバ２０とは、専用回線等で接続するようにしてもよい。また以下では、店舗のトイレに広告を行う場合について説明する。また、モバイル端末１３は、不特定多数の一般人が持っている、例えば市販の携帯電話等である。
【００１８】
図２は、管理用サーバの概略機能ブロック図である。管理用サーバ２０は、図２に示すように、店舗用データ登録機能２１、代理店用データ登録機能２２、デザインデータ登録機能２３、掲載広告管理機能２４、検索機能２５、広告掲載確認機能２６、デザインデータ転送機能２７、入力画面表示機能２８、ジャンプ機能２９、カウント機能３０、清算機能３１及び送受信機能３２を備えている。
【００１９】
店舗用データ登録機能２１は、店舗端末１２から送られてくる店舗名、業種、地域、男性トレイの数、女性トイレの数、男女共用トイレの数等のデータを受けつけて記憶部４０の後述する店舗データベース４１に登録する機能である。代理店用データ登録機能２２は、広告代理店サーバ１１から送られてくる代理店名、広告の開始日・終了日等のデータを受けつけて、記憶部４０の後述する代理店データベース４２に登録するものである。デザインデータ登録機能２３は、広告代理店サーバ１１から送付される広告のデザインのデータを受けつけて記憶部４０の後述するデザインデータベース４３に登録する機能である。掲載広告管理機能２４は広告掲載の開始日や終了日の通知を行なったり、広告掲載期間の終了時に対応する広告のデザインをデザインデータベース４３から削除したりする機能である。検索機能２５は、広告代理店の担当者が広告代理店サーバ１１から、広告の掲載を希望する店舗の条件等を入力して送信してきたときに、あらかじめ登録された記憶部４０の店舗データベース４１から、要求された条件を満たす店舗のデータを検索して，その結果である店舗のリストを広告代理店サーバ１１に送信する機能である。広告掲載確認機能２６は、検索結果である店舗のリストから広告代理店サーバ１１により選択された店舗に対して、広告代理店からの広告依頼があった旨を店舗に伝え、それに対して店舗が広告掲載を受け入れるか否かの回答を受信し、その回答を広告代理店サーバに転送する機能である。また、広告掲載確認機能２６は、広告掲載を依頼された店舗に対してサンプルとしてデザインデータベースに記憶している広告のデザインのデータを送付する機能も有する。デザインデータ転送機能２７は、広告の掲載を承諾した店舗に対してデザインデータベースに記憶している広告代理店の広告のデザインのデータを転送する機能である。入力画面表示機能２８は、利用者がモバイル端末１３を用いて管理用ホームページにアクセスしたときに、そのモバイル端末１３の画面に識別番号の入力を促す入力画面を表示する機能である。ジャンプ機能２９は、利用者が入力画面を用いて識別番号を入力して転送してきたときに、その識別番号に対応する広告代理店のモバイルサイトにジャンプさせる機能である。カウント機能３０は、  識別番号を入力して転送してきた回数を識別番号毎にカウントする機能である。  清算機能３１は、カウント機能３０のカウント値に基づき広告代理店に請求する広告費用を算出すると共に、各店舗毎に支払う広告掲載費用を算出する機能である。送受信機能３２は、広告代理店サーバ１１や店舗端末１２との間で、データの送受を行うための機能である。
【００２０】
図３は、広告の掲載をする店舗のデータを格納する店舗データベース４１を示す概略図である。店舗データベース４１への登録は、店舗端末１２から管理用サーバ２０にアクセスし、あらかじめ管理用サーバ２０が用意しておいた登録フォームに従って、登録に必要なデータを入力することにより行われる。入力を終えたデータは、管理用サーバ２０が店舗データベース４１に登録する。
【００２１】
店舗データベース４１の具体的な項目としては、図３に示すように、店舗名、代表者名、業種、住所、ＴＥＬ、ＦＡＸ、Ｅ−ｍａｉｌ、来店客層、男性トイレの個数、女性トイレの個数、男女共用トイレの個数及び各トイレの月間のトイレットペーパの使用量などがある。業種というのは、業務の種類のことであり、この欄には、例えば飲食店なら洋食や和食等のようにできるだけ具体的な種類を記入する。来店客層というのは、店舗に来店するお客の情報のことである。男女比とは、店舗に来店する男性客と女性客の比率のことである。また、年齢層というのは、店舗に来店するお客の年齢を、例えば１０代、２０代、３０代・・・というように１０才毎に区分けしたものである。また、コメント等というのは、店舗が特にアピールしたいことであり、具体的には、コメント等の欄には、店舗がカラオケ店であれば、「１０代後半から３０代前半の女性のお客が中心で男性は３０代が中心」等、またレストランであれば、「家族連れが多い」等と記載する。月間のトイレットペーパの使用量とは、１ヶ月に使用するトイレットペーパのロールの個数のことである。また、この使用量は、男性用、女性用或いは共用に区分して記入する。この使用量により、男性トイレ、女性トイレ、男女共用トイレの大まかな利用者の人数が推測できる。
【００２２】
なお、店舗ＩＤは、店舗からデータが入力され、管理用サーバがその店舗のデータを登録する時点で、各店舗毎に管理用サーバによって付与される。また、提供個数合計というのは、カウント機能３０のカウント数に応じて、店舗に提供されるトイレットペーパの個数の合計のことであり、後ほど詳しく述べる。
【００２３】
また、広告代理店の担当者は、店舗データベース４１を用いて、自己の製品に合った、効果的な広告を行う店舗の検索ができる。例えば、女性用トイレだけ或いは男性トイレだけ、或いは渋谷駅近辺のカラオケ店のトイレと言うように、広告対象者や地域を絞り込んだ広告を行なうことができる。
【００２４】
図４は、広告を依頼する広告代理店のデータを登録するための代理店データベース４２を示す概略図である。代理店データベース４２への登録は、広告代理店サーバ１１から管理用サーバ２０にアクセスし、あらかじめ管理用サーバ２０が用意しておいた登録フォームに従って、登録に必要なデータを入力することにより行われる。入力を終えたデータは、管理用サーバ２０が代理店データベース４２に登録する。
【００２５】
代理店データベース４２の具体的な項目としては、代理店名、代表者名、住所、ＴＥＬ、ＦＡＸ及びＥ−ｍａｉｌなどがある。代理店ＩＤは、広告代理店からデータが入力され、管理用サーバ２０がそのデータを登録する時点で、管理用サーバによって各広告代理店毎に付与される。また、請求金額合計は、管理用ホームページにアクセスしたカウント数に応じて、広告代理店に請求する金額の合計であり、後ほど詳しく述べる。
【００２６】
図５は、広告を依頼する広告代理店が使用する広告のデザインを登録するためのデザインデータベース４３を示す概略図である。デザインデータベース４３への登録は、広告代理店サーバ１１から管理用サーバ２０にアクセスし、あらかじめ管理用サーバ２０が用意しておいたデザイン登録フォームに従って、登録に必要なデータを入力することにより行われる。広告代理店の担当者は、管理用サーバ２０があらかじめ用意しているデザインテンプレートを用いてデザインを作成して登録することがでてきる。また、デザインテンプレートを用いずに独自にデザインを行ったものを登録することもできる。入力を終えたデザインのデータは、管理用サーバ２０がデザインデータベース４３に登録する。
【００２７】
デザインデータベース４３の具体的な項目としては、代理店名、デザイン、開始日、終了日及びモバイルサイトアドレスを入力する。デザインとは、掲載したい広告のデザインのことであり、この欄にはファイル名を記入する。なお、ファイル形式は、画像データを格納できるものであれば、gif形式やbmp形式だけでなく、jpeg形式などであってもよい。開始日とは、広告の掲載を開始する日であり、終了日とは、広告の掲載を終了する日である。期間とは、店舗に広告を掲載しておく期間のことであり、この欄には、管理用サーバが開始日と終了日のデータに基づいて算出した日数が格納される。モバイルサイトアドレスとは、広告に関連したさらに詳しい情報を提供するためのモバイルサイトのアドレスである。本実施形態のモバイルサイトは、広告代理店や広告の依頼主によって管理・運営されるサイトのことをいう。管理用ホームページにアクセスしてきた利用者に対して、各広告のデザイン毎に、更に詳細な情報を提供するためである。また、モバイルサイトアドレスは、各広告のデザイン毎に記入するようになっているが、各広告のデザイン毎に異なるものを作成する必要はなく、代理店側で自由に決めることができる。デザインＩＤは、広告代理店からデザインデータ（画像を格納した画像ファイルのデータも含む）が転送され、管理用サーバが登録する時点で、管理用サーバによって各デザインデータ毎に付与される。サイト毎のカウント数というのは、カウント機能によってカウントされた識別番号毎のカウント値を各サイト毎に集計した値をいう。広告代理店請求金額は、管理用サーバ２０により、サイト毎のカウント数に応じて算出されるものである。なお、この広告代理店請求金額は、これに限定されるものではなく、例えば、広告の掲載する期間や掲載するトイレの個数に応じて予め定めた金額であってもよい。また、デザインデータベース４３の広告代理店請求金額は広告のデザイン毎（サイト毎）の金額であるので、この金額を各代理店毎に集計したものが、図４に示す代理店データベース４２の請求金額合計の欄に記載される。
【００２８】
図６は、店舗データベース４１、代理店データベース４２及びデザインデータベース４３に基づいて管理用サーバによって作成される、管理用データベース４４を示す概略図である。管理用サーバ２０は、店舗データ、代理店データ及びデザインデータに基づいて、図６に示す管理用データベース４４を作成すると共に、このデータベースの更新・削除等の管理を行う。管理用データベース４４は、店舗データと代理店データとトイレ毎のカウント数及び店舗提供個数の各項目を含むものである。店舗データは、店舗ＩＤ、店舗名、業種、住所、トイレットペーパの使用量、トイレの識別名称、トイレの識別番号及びコメント（顧客層等）の各サブ項目を含むものである。なお、トイレの識別番号は、管理用サーバによって付与される。この識別番号は、各店舗のトイレ毎に付与してもよいし、男性トイレ、女性トイレ、男女共用トイレごとに付与するようにしてもよいし、各店舗毎に付与するようにしてもよい。また、この識別番号は、店舗端末１２から転送された店舗データを登録する際に付与するようにしてもよい。トイレの識別名称は、同一の店舗内の複数のトイレを識別するための名称であり、例えば、男性例えば店舗ＩＤがT0000003の店舗Ｃのように、男性１、男性２、女性１、女性２のように記入される。この識別名称は、トイレの識別番号とともに、管理用サーバによって付与される。このトイレの識別番号は、管理用サーバ等が各トイレを識別するために用いるものであるが、トイレの識別名称は各店舗において店主や従業員がトイレを識別するために用いるものである。これにより、同一店舗内の複数のトイレの各々に異なる広告を表示することも可能となる。代理店データは、代理店ＩＤ、デザインＩＤ、代理店名、デザイン、開始日、終了日及びモバイルサイトアドレスの各サブ項目を含むものである。店舗データのうちのトイレの識別名称とトイレの識別番号以外のデータは図３に示す顧客データベース４１から抽出したものであり、代理店データは図４に示す代理店データベース４２及び図５に示すデザインデータベース４３から抽出したものである。トイレ毎のカウント数は、利用者が識別番号を入力して転送してきたときに、各識別番号毎（トイレ毎）にカウントされる値である。店舗提供個数というのは、本システムの管理者が広告を掲載した店舗に対して、広告掲載の謝礼として提供するトイレットペーパの個数のことをいう。本実施形態では、トイレ毎（識別番号毎）のカウント値に基づいて、広告を掲載した店舗に対して広告掲載料が支払われる。この際、本実施形態では、トイレットペーパを用いて清算する方法を採用しているので、管理用サーバにより広告掲載料に応じたトイレットペーパの個数が算出され、その値が管理用データベース４４の店舗提供個数の欄に記載される。なお、店舗提供個数はトイレットペーパの個数に限定されるものではなく、例えば便座シートやペーパタオルの個数であってもよいし、更に、トイレットペーパと便座シートの両方の個数を用いるようにしてもよい。また、管理用データベース４４に記載された店舗提供個数は広告のトイレ毎の個数であるので、この個数を各店舗毎に集計したものが、図３に示す店舗データベース４１の提供個数合計の欄に記���される。
【００２９】
図７は、本実施形態である情報提供システムの概略処理手順を示す図である。以下では、図７を参照して本実施形態の概略処理手順について時系列的に説明する。本実施形態のシステムを利用する広告代理店と店舗は、予め管理用サーバ２０に用意された登録フォームに従って、各々のデータを入力する。管理用サーバ２０は、このデータを受領すると、各々のデータベースに登録する（Ｓ１、Ｓ２）。広告代理店サーバ１１からの代理店データは代理店データベース４２に、店舗端末１２からの店舗データは店舗データベース４１に登録される。登録し終わると管理用サーバ２０から、広告代理店サーバ１１と店舗端末１２に登録された旨の通知がなされる（Ｓ３、Ｓ４）。このとき、広告代理店サーバ１１には代理店ＩＤが、店舗端末１２には店舗ＩＤが通知される。
【００３０】
次に、広告代理店の担当者は、広告代理店サーバ１１から予め管理用サーバ２０にあるデザインテンプレートをダウンロードし（Ｓ５）、広告掲載用のデザインを作成する。作成したデザインのデータは、予め管理用サーバ２０に用意されたデザイン登録フォームに従って入力した広告掲載の開始日や終了日のデータなどのデータと共に、管理用サーバ２０に転送することにより登録の申請を行なう（Ｓ６）。管理用サーバ２０は、これらのデータを受領すると、これらのデータをデザインデータベース４３に登録する。このとき、管理用サーバ２０は、各広告のデザイン毎に広告デザインＩＤを付与する。次に、管理用サーバ２０は、広告代理店サーバ１１にこれらのデータが登録されたことを通知する（Ｓ７）。このとき，広告代理店サーバ１１には、管理用サーバによって付与されたデザインＩＤも通知される。
【００３１】
次に、広告代理店サーバ１１の担当者は、管理用サーバ２０にアクセスして、広告を掲載する希望の店舗を探すために、業種、住所、トイレ等の条件を入力して広告を行なう店舗を検索する（Ｓ８）。管理用サーバ２０は、入力された条件に基づいて店舗データベース４１を検索し、検索結果である店舗リストを広告代理店サーバ１１に送信する（Ｓ９）。広告代理店の担当者は、得られた検索結果の店舗リストより、掲載したい候補店舗を選択し管理用サーバ２０に送信する（Ｓ１０）。管理用サーバ２０は、広告代理店サーバ１１によって選択された店舗の店舗端末１２に、広告を掲載したい意向を通知する（Ｓ１１）。このとき管理用サーバ２０から通知を受けた店舗端末１２には、広告代理店が予め管理用サーバ２０に登録していた、デザインのデータもサンプルとして添付される。更に、広告掲載の開始日や終了日のデータも転送される。選択された店舗側は、管理用サーバ２０に、広告代理店が希望する広告を、受入るか否かを検討して回答する（Ｓ１２）。
【００３２】
ここで、選択された店舗が広告代理店の掲載希望広告を受入れた場合、管理用サーバ２０は広告代理店サーバ１１に、選択した店舗が受入を承諾した旨を通知する（Ｓ１３）。一方、広告掲載を受入れた店舗側は、広告掲載の通知のときに（Ｓ１１）、サンプルとして添付されたデザインのデータを、管理用サーバ２０から予めダウンロードした専用の印刷ソフトを用いて、店舗端末１２により印刷する。なお、実際に印刷する広告は、既に店舗に送付されたサンプルのデザインと同一のものに限られるものではない。広告代理店は、サンプルとして送付したデザインとは異なるが、ほぼ同じ内容のデザインに変更することは可能である。例えば、サンプルとして送付したデザインとしてはラフなものを使用し、正式に広告に使用するものは、綺麗に仕上げたものを使用したい場合があるからである。この場合、図示していないが、広告代理店の担当者は、広告の開始日より以前に、変更後のデザインのデータをデザインデータベース４３に登録する必要がある。広告のデザインのデータの変更がなされたときには、管理用サーバは変更後のデザインのデータを掲載予定の店舗端末に送付する。また、広告のデザインは、店舗の要求に従って、予めデザインデータベースに登録しておいたデザインを変更することも可能である。広告変更の要求は、管理用サーバを介して広告代理店サーバに送られる。広告代理店では、変更の可否を判断し、変更可能と判断すれば、管理用サーバ２０を介して、或いは直接、要求された店舗端末１２に送付する。
【００３３】
以下では、広告のデザインのデータを印刷したものを広告用紙とも称する。印刷した広告用紙には、印刷ソフトによりその店舗のトイレの識別番号と管理用ホームページアドレスも印刷される。印刷した広告用紙は、店舗側の店主或いは従業員によって、トイレットペーパホルダに貼り付けられるか、もしくはトイレ内の所定の枠部に挟み込まれる。なお、印刷するための専用の用紙は、店舗の登録が完了したときに配布するようにしてもよい。
【００３４】
次に、選択された店舗側が掲載希望広告の受入を拒否した場合について説明する。管理用サーバ２０は、受入を拒否された旨を、その理由と共に広告代理店サーバ１１に通知する（Ｓ１２）。広告代理店の担当者は、拒否された理由を検討し、店舗側が広告のデザインだけを拒否したのであれば、デザインをやり直して修正・変更したデザインもしくは新規のデザインを管理用サーバを介して店舗端末１２に送付する（Ｓ１４）。以下、上述した処理が繰り返される。広告の掲載自体を拒否された場合には、受入を拒否された店舗に対する広告を断念してもよいし、断念して更に、既に行なった検索結果を用いて、或いは新たに店舗の検索をし直して、別の店舗を選択してもよい。
【００３５】
店舗の各トイレのトイレットペーパホルダ等に貼り付け等された広告用紙には、その広告に関連した、より詳しい情報を提供するために、そのトイレの識別番号と管理用ホームページアドレスが記載されている。広告を見た利用者は、携帯電話等のモバイル端末１３を利用し、管理用ホームページにアクセスすることができる（Ｓ１５）。利用者が管理用ホームページにアクセスすると、管理用サーバ２０は、アクセスしてきたモバイル端末１３に対して、識別番号の入力を促す入力画面を表示する（Ｓ１６）。利用者がその入力画面を用いて識別番号を入力して転送してきたときには（Ｓ１７）、管理用サーバは管理用データベース４４を参照して、その識別番号に対応する広告代理店のモバイルサイトアドレスに自動でジャップさせる（Ｓ１８）。これにより、代理店サーバから広告の画像データが利用者の携帯電話に転送されて広告が表示される（Ｓ１９）。
【００３６】
ところで、通常、モバイルサイトは、広告代理店サーバ１１内に設けられている。各広告代理店側では、予め、依頼人等の要望に応じて、より詳細な情報を提供するための広告サイト画面を用意しておき、アクセスしてきたモバイル端末１３に対して、この用意した画面を表示する。なお、広告代理店がモバイルサイトを用意していない場合、その広告代理店は、広告サイト画面の代わりに、アクセスしてきたモバイル端末１３に表示する広告用の画面を予め管理用サーバ２０の記憶部４０に登録しておく。管理用サーバ２０は、この広告用の画面を広告代理店ＩＤと識別番号に対応付けてテーブル形式（不図示）で記憶部４０に記憶する。広告代理店のモバイルサイトアドレスが登録されていない場合、管理用サーバ２０はアクセスしてきたモバイル端末１３に対して、入力した識別番号に応じて予め記憶部４０に登録されている広告用の画面を、そのモバイル端末に表示する。
【００３７】
管理用サーバ２０は、利用者が識別番号を入力して転送してきたときの回数を各トイレ毎（識別番号毎）にカウントする。また、管理用サーバは、このカウント値を各サイト毎に集計した値をデザインデータベースのサイト毎のカウント数に記憶させる。これらのカウント値により、各広告に対する到達率と注目率とを数字で表わすことができる。
【００３８】
ここで、注目率というのは、ある場所で広告を掲載した期間内にそこへ訪れた延べ人数に対する、その広告を「確かに見た」と言う人数の比を示すものである。延べ人数に相当するものは、本システムの管理者から提供されるトイレットペーパの使用量から概算できる。また、「確かに見た」と言う人数に相当するものは、本実施形態の場合、狭いトイレの空間内でトイレットペーパホルダに広告が掲載されているのでトイレ使用者の殆どは、広告を見ると推測できる。このため、「確かに見た」と言う人数は、トイレ使用者の殆ど全員となると考えられる。したがって、本実施形態の場合、注目率は、ほぼ１００％になると考えられる。
【００３９】
到達率というのは、集計対象期間内にウエブを利用した人のうち何パーセントの人がそのサイトを訪問したかを示すものである。本実施形態の場合、ウエブを利用した人の数に相当するものは、トイレットペーパの使用量から概算できるトイレ使用者の数である。また、サイトを訪問した人の数に相当するものは、サイト毎のカウント数である。したがって、この両者から到達率を算出できる。
【００４０】
また、管理用サーバは、トイレ毎のカウント数及びサイト毎のカウント数を記憶部に記憶し、そのトイレ毎のカウント数及びサイト毎のカウント数を各広告代理店に報告し、広告代金の請求は、例えばサイト毎のカウント数に基づいて行う（Ｓ２０）。各広代理店は請求された代金を支払う（Ｓ２１）。一方、同様にして管理用サーバは、店舗に対してはトイレ毎のカウント数に応じて広告掲載の謝礼として、その謝礼に対応するトイレットペーバの数を通知することにより清算する（Ｓ２２）。このシステムの管理者は、後日、通知した個数のトイレットペーパをその店舗に対して提供する。この清算は、広告を掲載する期間が終了するまで、所定の期間毎に行われる。
【００４１】
上記の第１実施形態によれば、各広告代理店は管理用サーバにアクセスすることにより、性別や地域を限定して広告を行なう店舗を容易に検索することができる。また、広告のデザインを管理用サーバに登録することにより、実際の広告用紙の印刷を行なうことなく、検索した店舗に対して広告を行なうことができる。
【００４２】
また、第１の実施形態によれば、店舗での広告は、店舗端末から印刷した広告用紙を用いて行なうので、店舗の店主や従業員が広告の掲載や交換を行なうことができ、したがって、従来の広告方法に比べて、遥かに迅速に広告を行なうことができ、また専門業者による広告の掲載や交換の作業が不要となり、したがって人件費等の費用を大幅に削減することができる。
【００４３】
また、上記の第１実施形態によれば、トイレの中の限られた空間と時間を一人で占有するため、そこにある広告は街頭やテレビ等の従来の広告に比べて、注目率はほぼ１００％となり、広告効果は大きい。また、男性用トイレだけ、女性用トイレだけ、或いは両方のトイレにと、広告の対象を絞って効果的な広告を行なうことができる。
【００４４】
また、上記の第１実施形態によれば、広告主は各広告のモバイルサイトを訪問した利用者の数をサイト毎のカンウト値によって知ることができ、この数によりテレビの個人視聴率に似た情報を取得することができる。また、広告主や代理店は、サイト毎のカウント数に応じて広告掲載料を清算するので、費用対効果は、従来の広告に比べてはるかに大きい。更に、店舗への清算も、トイレ毎のカウント数に応じて、広告の謝礼をトイレットペーパで行うので、店舗側の経費を削減することができる。
【００４５】
なお、本発明は、上記の実施形態に限定されるものではなく、その要旨の範囲内で種々の変形が可能である。例えば、上記の第１の実施形態では、店舗のトイレに広告を掲載する場合について説明したが、本発明は、これに限定されるものではなく、本発明の店舗等とは、例えば役所，公園，商店，テナントビル，工場，空港，駅，劇場，大学等の学校，デパート，ファミリーレストラン，カラオケ店，コンビニエンス・ストア等を含む概念である。また、店舗は、広告を掲載するだけでなく、依頼者側（広告代理店側）になることも可能である。
【００４６】
また、上記の実施形態では、デザインを専用の用紙に印刷する場合について説明したが、市販の用紙を使用して印刷するようにしてもよい。例えば、トイレットペーパホルダの外周の大きさをＣＤと同じにすれば、そこに掲載する広告を市販のＣＤ用の印刷用紙で印刷できる。これにより、店舗に専用の用紙を搬送する手間も省け広告費用のコストをより低減することができる。
【００４７】
また、上記の実施形態では、店舗に対する謝礼をトイレットペーパで行なったが、本発明ではこれに限定されるものではない。例えば、トイレットペーパ以外のトイレの消耗品であるペーパタオルや便座シート、レストラン等ではテーブルナプキン等のレストラン用の消耗品や、カラオケ店等ではお手拭ペーパ等の消耗品等を用いて清算するようにしてもよい。これらの消耗品の使用量により、利用者の凡その人数を算出できるからである。更に、消耗品の使用量を店舗等から連絡してもらうようにすれば、現金で清算するようにしてもよい。
【００４８】
また、上記の実施形態では、識別番号や管理用ホームページのアドレスを広告用紙に印刷する場合について説明したが、これらの情報はトイレ内に直接表示するようにしてもよし、広告用紙とは別個の用紙に印刷してトイレ内に貼付するようにしてもよい。
【００４９】
また、上記の実施形態では広告の媒体として紙を使用しているが、本発明はこれに限定するものではなく、トイレットペーパホルダの表面に液晶表示装置を設けて、この液晶画面に広告を表示するようにしてもよい。この場合、トイレットペーパホルダの芯の部分に液晶表示装置に表示する広告のデータを送受するためのマイクロチップを埋め込み、店舗端末によって広告のデザインのデータを記憶させたＩＣカード等を用いて、トイレットペーパホルダのマイクロチップとの間でデータを送受することにより表示する広告の内容を変更するようにしてもよい。更に、液晶表示装置をネットワークに接続して、管理用サーバや店舗端末から指示を送ってリアルタイムで広告を行うようにしてもよい。
【００５０】
また、広告用紙は、トイレットペーパホルダに貼付するのではなく、トイレ内の他の箇所、例えば、壁やドアや水タンク等に貼付するようにしてもよい。
【００５１】
また、上記の実施形態では、広告の依頼者は、広告代理店を介して広告を行なう場合について説明したが、広告の依頼者が自身のコンピュータを用いて直接、管理用サーバにアクセスして広告を行なうことができるようにしてもよい。
［第２の実施形態］  次に、本発明の第２実施形態について図面を参照して説明する。図８は、本発明の第２実施形態である情報提供システムの概略図である。
本実施形態の情報提供システムは、スポーツクラブを利用する会員に広告を行うためのシステムであり、図８に示すように、スポーツクラブの各フィトネスマシン毎に設けられた液晶表示装置５０ａ、５０ｂ、５０ｃ・・・と、液晶表示装置に掲載する広告の管理を行なう管理用サーバ２００と、会社等の依頼を受けて広告を行なう広告代理店に設置してある広告代理店サーバ１１ａ，１１ｂ，１１ｃ，・・・と、を具備するものである。管理用サーバ２００と広告代理店サーバ１１とは、インターネットを介してネットワーク接続され、管理用サーバ２００と液晶表示装置５０とはＬＡＮ等のイントラネット５５を介して接続されている。本実施形態では、管理用サーバ２００は、スポーツクラブ内に設置されており、各液晶表示装置に掲載する広告に関する各種のデータなどを記憶する記憶部４００を備えている。なお、第２の実施形態において、第１の実施形態と同様の機能を有するものには、同一の符号或いは対応する符号を付することにより、その詳細な説明を省略する。
【００５２】
液晶表示装置５０は、スポーツクラブの各フィトネスマシン毎に設けられ、管理用サーバ２００との間でデータを送受するための双方向通信機能を有している。また、液晶表示装置５０は、各フィトネスマシンを利用する会員のバーコード表示された会員ＩＤ（識別情報）を読み取るバーコードリーダ５１を備えており、更にバーコードリーダ５１によって読み取った会員の会員ＩＤ（識別情報）を管理用サーバ２００に転送する機能と、管理用サーバ２００から転送された広告のデザインのデータを画面に表示する広告表示機能とを備えている。
【００５３】
図９は、管理用サーバの概略機能ブロック図である。図９に示すように、管理用サーバ２００は、スポーツクラブを利用する会員の名前、性別、年齢、住所等のデータを含む会員データを記憶部４００の後述する会員データベースに記録する会員データ登録機能２０１と、広告を表示するときの、入場会員の性別、年齢を含む広告表示条件を設定する設定機能２０２と、液晶表示装置に表示する広告のデザインのデータ毎に広告表示条件を記憶部４００の後述するデザインデータベースに登録するデザインデータ登録機能２０３と、液晶表示装置のバーコードリーダから送られてくる入場会員の会員ＩＤを記憶部４００に記憶する入場会員データ記憶機能２０４と、各フィトネスマシン毎にバーコードリーダから送られてくる会員の会員ＩＤに基づいてその会員が広告表示条件を満たしているか否かを判断する判断機能２０５と、判断機能２０５が広告表示条件を満たしていると判断したときに、満たしていると判断された広告表示条件に対応する広告のデザインのデータをデザインデータベースから読み出してその会員が利用しているフィトネスマシンの液晶表示装置に送るデザインデータ転送機能２０６と、広告のデザインのデータ毎に液晶表示装置にデザインのデータを転送する回数をカウントするカウント機能２０７と、カウント機能２０７のカウント値に基づいて代理店に請求する広告費用を算出する清算機能２０８と、を備える。なお、図９では、省略しているが、本実施形態の管理用サーバも送受信機能２８を有する。また、入場会員データ記憶機能２０４は省略することも可能である。
【００５４】
図１０は、スポーツクラブの会員の会員データを登録するための会員データベース４０１を示す概略図である。会員データベース４０１への登録は、入会時に得られた会員データをスポーツクラブ側がキーボードを用いて、或いは光学読取装置を用いて読み取って管理用サーバ２００に入力することにより行われる。具体的には、会員から得られた、氏名，性別，年齢，住所，ＴＥＬ，ＦＡＸ，Ｅ−ｍａｉｌ，身体情報及び要望等のデータを入力する。「身体情報」とは、個人の基礎体力の情報で、身長，体重等のことである。「要望等」には、入会した会員の要求に応じて、例えば、「体を鍛えたい」や「１０キロやせたい」や「健康維持」等を記載する。なお、会員ＩＤは、会員データを会員データベースに登録するときに、管理用サーバ２００によって各会員ごとに付与される。
【００５５】
図１１は、広告の表示を依頼する広告代理店が、広告のデザインを登録するためのデザインデータベース４０３を示す概略図である。デザインデータベース４０３への登録は、広告代理店サーバ１１から管理用サーバ２００にアクセスし、あらかじめ管理用サーバ２００が用意しておいたデザイン登録フォームに従って、登録に必要なデータを入力することにより行われる。本実施形態では、広告代理店の担当者は、管理用サーバ２００があらかじめ用意しているデザインテンプレートを用いてデザインを登録することができる。なお、デザインテンプレートを用いず独自にデザインを行ったものを登録してもよい。入力を終えたデータは、管理用サーバ２００がデザインデータベース４０３に登録する。本実施形態の図１１に示す広告のデザインというのは、広告主が液晶表示装置に表示したい広告のデザインのことである。開始日は広告の表示を開始する日であり、終了日は広告の表示を終了する日である。期間というのは広告を表示する期間のことであり、この期間は開始日と終了日のデータから管理用サーバが算出する。また、広告デザインＩＤは、広告代理店から広告のデザインのデータをデザインデータベースに登録するときに、管理用サーバ２００によって各広告デザイン毎に付与される。広告表示条件というのは、広告を表示するときの条件である。この条件は、性別、年齢、住所などを設定することができる。例えば、図１１に示すように、年齢が２１〜３０歳、女性、新宿区在住のように設定することができる。これにより、管理用サーバは、この広告表示条件に合致する会員がフィトネスマシンを利用するときには、そのフィトネスマシンに設けられた液晶表示装置に、対応する広告のデザインのデータを転送して表示する。
【００５６】
図１２は、会員データベース４０１及びデザインデータベース４０３に基づいて作成される管理用データベース４０４を示す図である。管理用サーバ２００は、会員データ、デザインのデータ及び広告表示条件等に基づいて図１２に示す管理用データベース４０４を作成する共に、更新・削除等の管理を行なう。本実施形態の管理用データベース４０４では、各会員毎に、表示する広告のデザインが登録される。
【００５７】
次に、カウント数の項目について説明する。会員がスポーツクラブを利用するときには、受付で、その会員の会員ＩＤがバーコード表示されたリストバンドが貸与される。各フィトネスマシンを利用するときには、フィトネスマシンに設置してある液晶表示装置のバーコードリーダで、リストバンドのバーコードデータを読み取らせる。液晶表示装置は、読み取った会員ＩＤのデータを管理用サーバ２００に送る。管理用サーバ２００は、液晶表示装置から送られてきた会員ＩＤのデータに基づいて、管理用データベース４０４を検索し、その会員に登録されている広告のデザインがあるときには、その広告のデザインのデータを液晶表示装置に転送する。液晶表示装置は、転送された広告のデザインのデータを画面に表示する。この際に、管理用サーバ２００は広告のデザインのデータを転送する回数をカウントし、そのカウントした数を管理用データベース４０４のカウント数の項目に記憶させる。各会員は、フィトネスマシンを利用するときには、各フィトネスマシンに設けられている液晶表示装置に表示される広告を含む動画像や静止画像を見ながらトレーニングを行なうことができる。なお、会員ＩＤのデータを識別するものは、バーコード表示に限られるものではなく、会員のＩＤのデータを記憶することができものであれば、磁気カードやＩＣカード等を利用するものでもよい。また、代理店データベースは、図４に示す第１の実施形態のものと同様であるので、その詳細な説明は省略する。
【００５８】
次に、第２実施形態の動作について説明する。図１３は、本実施形態である情報提供システムの概略処理手順を示す図である。以下では、図１３を参照して本実施形態の概略処理手順について時系列的に説明する。なお、第２実施形態の動作は、図７に示す第１実施形態の動作と共通する部分が多いので、第２実施形態の動作について図７に示す第１実施形態の動作と同一のものは、同一符号を付することにより、その詳細な説明を省略する。
【００５９】
予め、本実施形態のスポーツクラブの担当者は、管理用サーバ２００或いは、この管理用サーバにネットワーク接続された他の端末（不図示）を用いて、管理用サーバ２００に用意された登録フォームに従って、会員のデータを管理用サーバ２００の会員データベース４０１に登録する。この登録により、管理用サーバ２００によって、各会員ごとに会員ＩＤが付与される。一方、各広告代理店は、第１実施形態で説明したように、管理用サーバ２００に用意された登録フォームに従って、必要なデータを入力し、管理用サーバ２００に転送する（Ｓ２）。管理用サーバ２００は、このデータを受領すると、図４に示す代理店データベース４２にこの代理店データを登録し、更に、広告代理店サーバ１１に登録された旨の通知がなされる（Ｓ４）。このとき，広告代理店サーバ１１には代理店ＩＤも通知される。
【００６０】
次に、広告代理店の担当者は、広告代理店サーバ１１から予め管理用サーバ２０に用意されているデザインテンプレートをダウンロードし（Ｓ５）、広告に使用するデザインを作成する。なお、広告のデザインは、デザインテンプレートをダウンロードすることなく、独自に製作することも可能である。作成した広告のデザインのデータは、予め管理用サーバ２００に用意されたデザイン登録フォームを用いて登録の申請を行なう（Ｓ５０）。このデザイン登録フォームには、広告のデザインのデータの他に広告掲載の開始日や終了日のデータなども入力して転送する。管理用サーバ２００は、これらのデータを受領すると、これらのデータをデザインデータベース４０３に仮登録する。スポーツクラブの担当者は、管理用サーバ２００或いは管理用サーバ２００とネットワーク接続された端末を用いて、仮登録された広告のデザインの内容を検討し、その広告のデザインが自身のスポーツクラブに相応しいものであるか否かを判断する。担当者が相応しくないと判断すると、管理用サーバ２００によって、その登録を拒否する旨の通知が広告代理店サーバ１１に送られ（Ｓ５１）、仮登録された広告のデザインのデータは削除される。この場合、広告代理店の担当者は、デザインの変更を行って、再度、登録を行うか、或いは上述したデザインテンプレートを用いて別個のデザインを新たに行って登録の申請を行う（Ｓ５、Ｓ５０）。
【００６１】
一方、担当者がその広告のデザインを受け入れると判断したときには、受け入れる旨の通知が広告代理店サーバ１１に送られる（Ｓ５１）。このときは、管理用サーバによって付与された広告デザインＩＤも送付される。これにより、この広告のデザインのデータは、仮登録から本登録に変更される。次に、広告代理店の担当者は、各広告のデザインのデータ毎に広告を表示するときの広告表示条件を設定する（Ｓ５２）。この広告表示条件の設定は、例えば図１１のデザインデータベース４０３に示すように、新宿区に在住の女性で年齢が２１〜３０歳のように設定することができる。
【００６２】
本実施形態のスポーツクラブを利用する会員に対しては、実際の利用時に、受付で、会員ＩＤがバーコード表示されたリストバンドが渡される。会員がスポーツクラブ内に設置された各フィトネスマシンを利用するときには、このリストバンドに表記されているバーコードをバーコードリーダ５１で読み取らせる。バーコードリーダ５１で読み取った会員ＩＤのデータは、液晶表示装置により管理用サーバ２００に転送される（Ｓ５３）。管理用サーバ２００は、このデータを受け取ると、この会員ＩＤに基づいて管理用データベース４０４を検索し、登録されている広告のデザインがあるか否かを判断する。その会員に登録されている広告のデザインがあれば、その広告のデザインを液晶表示装置で表示するためのデータを液晶表示装置に転送する（Ｓ５４）。また、管理用サーバ２００は、広告のデザインを液晶表示装置に転送する回数を各広告のデザイン毎にカウントし、その値を管理用データベース４０４に記憶させる。本実施形態の場合、会員がフィトネスマシンを利用するときには、液晶表示装置を見ながらトレーニングを行なうので、注目率及び到達率に相当する数値は、ほぼ１００％になると考えられる。
【００６３】
所定期間（例えば、一ヶ月）毎に或いは広告掲載期間の終了時に、管理用データベース４０４に記憶したカウント数に基づいて、広告代理店に対する広告代金の請求が行なわれる。管理用サーバ２００は、管理用データベース４０４に記憶しているカウント数に基づいて、広告代理店に広告のデザインを表示した回数等の報告を行い、表示した広告のデザインの回数に応じて広告代金の清算を行なう（Ｓ５５，Ｓ５６）。
【００６４】
上記の第２実施形態によれば、会員のデータに基づいて、液晶表示装置の表示画面に会員の年齢や性別に応じた広告を行なうことができる。
【００６５】
また、上記の第２実施形態によれば、会員がフィトネスマシンを利用して運動している間その広告は何回も目にする為、従来の広告より長時間見てもらえるので広告効果が大きい。
【００６６】
また、上記の第２実施形態によれば、従来ではわかりにくかった広告を見た人数は、液晶表示装置により送信された会員ＩＤを管理用サーバが広告のデザイン毎に集計しているので、正確に広告代理店に報告でき、且つ会員が見た回数に応じて、広告料金を請求することができる。
【００６７】
また、上記の第２実施形態によれば、会員の会員データがしっかりしているので、広告主は、広告代理店を通して会員の年齢や性別や住所等のデータを用いて広告のターゲットの絞込みを容易且つ正確に行なうことができる。
【００６８】
また、上記の本実施形態によれば、液晶表示装置を用いて広告を行なうので、広告の変更が容易である。
【００６９】
なお、本発明は、上記の第２実施形態に限定されるものではなく、複数のスポーツクラブのそれぞれに会員データ登録用の端末を配置し、一台の管理用サーバで複数のスポーツクラブに配置された複数の液晶表示装置の表示を制御するようにしてもよい。
［第３の実施形態］  次に、本発明の第３の実施形態について説明する。図１４は、本発明の第３実施形態である情報提供システムの概略図である。本実施形態の情報提供システムは、スポーツクラブの会員に広告を行うためのシステムであり、図１４に示すように、スポーツクラブの各フィトネスマシン毎に設けられた液晶表示装置５００ａ、５００ｂ、５００ｃ・・・と、液晶表示装置に掲載する広告の管理を行なう管理用サーバ２０００と、会社等の依頼を受けて広告を行なう広告代理店に設置してある広告代理店サーバ１１ａ，１１ｂ，１１ｃ，・・・と、を具備するものである。また、管理用サーバ２０００と広告代理店サーバ１１とは、インターネットを介してネットワーク接続されている。また、本実施形態では、管理用サーバ２０００と液晶表示装置５００とは管理用サーバが液晶表示装置に画像を転送することができるように電気的に接続されている。本実施形態の液晶表示装置は、双方向通信機能を有しておらず、単に管理用サーバが転送してくる画像のデータを表示する機能だけを有している。このような液晶表示装置は、スポーツクラブに既に設置されている場合が多い。管理用サーバ２０００は、スポーツクラブ内に設置されており、各液晶表示装置に掲載する広告に関する各種のデータなどを記憶する記憶部４０００を備えている。なお、第３の実施形態が第２の実施形態と異なるのは、第２実施形態ではバーコードリーダを備え且つ双方向通信機能を有する液晶表示装置を用いて、各会員ごとに対応する広告のデザインを表示していたが、本実施形態の液晶表示装置は、双方方向通信機能やバーコードリーダを備えておらず、管理用サーバから送られる画像を表示するだけの機能を有する点である。その他の点についは、第２の実施形態と同様である。したがって、第３の実施形態において、第２の実施形態と同様の機能を有するものには、同一の符号或いは対応する符号を付することにより、その詳細な説明を省略する。
【００７０】
図１５は、本実施形態の管理用サーバの概略機能ブロック図である。本実施形態の管理用サーバ２０００は、スポーツクラブを利用する会員の名前、性別、年齢、住所等のデータを含む会員データを記憶部４０００の上述した会員データベース４０１に記録する会員データ登録機能２０１ａと、広告を表示するときの、入場会員数、性別、年齢を含む広告表示条件を設定する設定機能２０２ａと、液晶表示装置に表示する広告のデザインのデータ毎に広告表示条件を記憶部４０００の後述するデザインデータベース４００３に登録するデザインデータ登録機能２０３ａと、スポーツクラブに入場する会員のデータである入場会員データを後述する管理用データベース４００４に記憶する入場会員データ記憶機能２０４ａと、入場会員データに基づいて会員の利用状況が広告表示条件を満たしているか否かを判断する判断機能２０５ａと、判断機能２０５ａが広告表示条件を満たしていると判断したときに、満たしていると判断された広告表示条件に対応する広告のデザインのデータをデザインデータベース４００３から読み出して液晶表示装置に送るデザインデータ転送機能２０６ａと、広告のデザインのデータを液晶表示装置に転送する回数をカウントするカウント機能２０７ａと、カウント機能２０７ａのカウント値に基づいて代理店に請求する広告費用を算出する清算機能２０８ａと、を備える。なお、図１５では、省略しているが、本実施形態の管理用サーバも送受信機能２８を有する。
【００７１】
図１６は、広告の表示を依頼する広告代理店が、広告のデザインを登録するためのデザインデータベース４００３を示す概略図である。本実施形態のデザインデータベースが第２実施形態のデザインデータベースと異なるのは、本実施形態のデザインデータベースが入場会員の人数を設定することができる点と、住所の設定をすることができない点である。その他の点は、第２実施形態のデザインデータベースと同様であるので、ここでは、入場会員の人数の設定について述べ、他の項目の説明は省略する。なお、ここでは説明を簡略化するために、住所の設定をすることができない場合について説明するが、本実施形態でも、住所の設定をすることができるようにしてもよい。
【００７２】
入場会員の人数の設定は、各広告のデザインのデータ毎に、広告表示条件の項目に設定する。この設定は、男性の人数だけ、或いは女性の人数だけを設定することができ、もちろん男性と女性の両方の人数を設定することもできる。これにより、代理店側は、広告の対象者を絞って効果的に広告を行なうことができる。
【００７３】
図１７は、本実施形態の管理用データベースを示す概略図である。本実施形態の管理用データベース４００４は、管理用サーバによって作成される。会員がスポーツクラブを利用するときには、会員ＩＤが記憶された例えば磁気の会員カードを用いて、会員であるか否かの確認が行われる。この会員カードのデータは、磁気カードリーダで読み取られて、管理用サーバに転送される。管理用サーバでは、この会員カードが会員データベースに登録されているか否かを判断してその結果を画面に表示すると共に、登録された会員である場合には図１７に示す管理用データベース４００４に会員データベース４０１の中から対応する必要なデータを読み出して登録する。管理用サーバは、各会員が入場すると、その会員の男女別の対応する年齢の欄に１を入力する。例えば、会員ＩＤがK000001の会員が入場したときには、男性年齢が１１〜２０の欄に１を、会員ＩＤがK000034の会員が入場したときには、男性年齢が３１〜４０の欄に１を入力する。また、入場する会員のデータを入力する度に、関連する合計の欄も、変更される。例えば、会員ＩＤがK000001の会員が入場したときには、男性合計の項目と、男女年齢１１〜２０の項目と、男女合計の項目の数値が１だけ増加される。このように、管理用サーバは、新たな会員データを追加する都度、図１７に示す関連する合計の各項目の値を１だけ増加することにより、管理用データベースを更新する。また、会員がスポーツクラブを退場するときには、その会員のデータを管理用データベースから削除すると共に、関連する合計の項目の値を１だけ減ずることにより管理用データベースの更新を行なう。なお、入場会員のデータは、既存の管理ソフトを使って管理することができる。本実施形態では、スポーツクラブに入場している会員の人数を男女別、年代別に管理することができる。また、入場会員のデータは、カードリーダで読み込むのではなく、その会員の名前を管理用サーバのキーボードを使って入力するようにしてもよい。
【００７４】
次に、第３実施形態の動作について説明する。図１８は、本実施形態である情報提供システムの概略処理手順を示す図である。以下では、図１８を参照して本実施形態の概略処理手順について時系列的に説明する。なお、第３実施形態の動作は、図１３に示す第２実施形態の動作と共通する部分が多いので、第３実施形態の動作について図１３に示す第２実施形態の動作と同一のものは、同一符号を付することにより、その詳細な説明を省略する。
【００７５】
本実施形態での会員データの登録や広告代理店の登録は、第２の実施形態と同様にして行なわれる。本実施形態で広告のデザインのデータを登録するときには、広告表示条件の設定の仕方が第２実施形態とは異なる。すなわち、本実施形態は、年齢層や性別だけでなく人数の設定を行なうことができる。例えば、性別は女性で、年齢が２１〜３０才で、人数が３０人のように設定する（Ｓ６１）。
【００７６】
管理用サーバは、スポーツクラブに入退場する会員のデータを管理し、会員が入退場する都度、管理用データベースの会員データを追加・削除すると共に、関連する合計の項目も更新する。また、図１７に示す更新した合計の項目の人数が、図１６に示す予め設定した広告表示条件を満たすものであるか否かを判断する。この判断は、例えば、先ず男女の年代別の合計人数が設定した広告表示条件を満たすものがあるか否かを判断し、次に男女合計の年代別の合計人数が設定した広告表示条件を満たすものがあるか否かを判断する。利用者の状況が、広告表示条件を満たすと判断したときには、その広告表示条件に対応する広告のデザインのデータをスポーツクラブ内の液晶表示装置に転送する。このデータの転送を受けた液晶表示装置は、画面に広告を含む画像を表示する。広告代金の請求の処理は、第２実施形態と同様に、広告のデザインのデータを転送した回数に応じて請求し、清算する（Ｓ５５、Ｓ５６）。
【００７７】
上記の第３実施形態によれば、各スポーツクラブ毎に設置されている会員データを管理する既存の管理用サーバと、各フィトネスマシン毎に配置され、管理用サーバから送られる画像データを表示する既存の液晶表示装置とを用いることができるので、本実施形態を実施するための初期投資の費用を抑えることができる。
【００７８】
また、上記の本実施形態によれば、会員データに基づいて、性別、年齢、人数、等を指定して広告を行なうことができるので、対象者を絞った広告を効果的に行うことができる。
【００７９】
また、上記の本実施形態によれば、液晶表示装置を用いて広告を行なうので、広告の変更が容易である。
【００８０】
なお、本発明は、上記の実施形態に限定されるものではなく、その要旨の範囲内で種々の変形が可能である。例えば、広告表示条件に広告を表示する時間を、午前１０時から午後１５時までのように、設定することができるようにしてもよい。
【００８１】
また、本発明は、広告のデザインの登録は、オンラインではなく、広告のデザインのデータを格納したＤＶＤ等を用いて、オフラインで登録するようにしてもよい。これにより、管理用サーバがインターネットに接続されていない状況でも、本システムを実現することができる。この場合、当然に広告代理店サーバは省略することができる。
【００８２】
上記の第１〜第３の各実施形態では、説明を簡略化するために、一つの広告のデザインを表示する場合について説明したが、広告用紙や液晶表示装置には条件に一致する複数の広告のデザインを表示するようにしてもよい。なお、液晶表示装置を使用する場合は、これらの複数の広告のデザインを同時に表示してもよいし、所定の時間毎に順次、表示するようにしてもよい。
【産業上の利用可能性】
【００８３】
以上説明したように、本発明の情報提供システムによれば、店舗等コンピュータにより店舗等に表示する広告用紙を印刷することができ、広告用紙の変更は店舗等の従業員等が行なうことができるので、表示する広告の変更が容易で、且つ対象者を絞り込んだ効果的な広告を行うことができる。したがって、本発明は、店舗等における広告に適用することができる。
【図面の簡単な説明】
【００８４】
【図１】本発明の第１実施形態である情報提供システムの概略図である。
【図２】第１実施形態の管理用サーバの概略機能ブロック図である。
【図３】広告の掲載をする店舗のデータを格納する店舗データベースを示す概略図である。
【図４】広告を依頼する広告代理店のデータを登録するための代理店データベースを示す概略図である。
【図５】広告を依頼する広告代理店が使用する広告のデザインを登録するためのデザインデータベースを示す概略図である。
【図６】店舗データベース、代理店データベース及びデザインデータベースに基づいて管理用サーバによって作成される、管理用データベースを示す概略図である。
【図７】第１実施形態である情報提供システムの概略処理手順を示す図である。
【図８】本発明の第２実施形態である情報提供システムの概略図である。
【図９】第２実施形態の管理用サーバの概略機能ブロック図である。
【図１０】スポーツクラブの会員の会員データを登録するための会員データベースを示す概略図である。
【図１１】広告の表示を依頼する広告代理店が、広告のデザインを登録するためのデザインデータベースを示す概略図である。
【図１２】会員データベース及びデザインデータベースに基づいて作成される管理用データベースを示す図である。
【図１３】第２実施形態である情報提供システムの概略処理手順を示す図である。
【図１４】本発明の第３実施形態である情報提供システムの概略図である。
【図１５】第３実施形態の管理用サーバの概略機能ブロック図である。
【図１６】広告の表示を依頼する広告代理店が、広告のデザインを登録するためのデザインデータベースを示す概略図である。
【図１７】第３実施形態の管理用データベースを示す概略図である。
【図１８】第３実施形態である情報提供システムの概略処理手順を示す図である。
【符号の説明】
【００８５】
１１  広告代理店サーバ、  ２０  管理用サーバ、  １２  店舗端末
１３  モバイル端末、  １５  インターネット、  ４０  記憶部、
２１  店舗用データ登録機能、  ２２  代理店用データ登録機能、
２３  デザインデータ登録機能、  ２４  掲載広告管理機能、
２５  検索機能、  ２６  広告掲載確認機能、
２７  デザインデータ転送機能、  ２８  入力画面表示機能、
２９  ジャンプ機能、  ３０  カウント機能、  ３１  清算機能、
３２  送受信機能、  ４１  店舗データベース、
４２  代理店データベース、  ４３  デザインデータベース、
４４  管理用データベース４４、
２００  管理用サーバ、  ５０  液晶表示装置、  ５５  イントラネット、
４００  記憶部、  ５１  バーコードリーダ、
２０１  会員データ登録機能、  ２０２  設定機能、
２０３  デザインデータ登録機能、  ２０４  入場会員データ記憶機能
２０５  判断機能、  ２０６  デザインデータ転送機能、
２０７  カウント機能、  ２０８  清算機能、  ４０１  会員データベース、
４０３  デザインデータベース、  ４０４  管理用データベース、
５００  液晶表示装置、  ２０００  管理用サーバ、  ４０００  記憶部
２０１ａ  会員データ登録機能、  ２０２ａ  設定機能、
２０３ａ  デザインデータ登録機能、  ２０４ａ  入場会員データ記憶機能、
２０５ａ  判断機能、  ２０６ａ  デザインデータ転送機能、
２０７ａ  カウント機能、  ２０８ａ  清算機能、
４００３  デザインデータベース、  ４００４  管理用データベース
【図１】
2005038323.tif 000003
【図２】
2005038323.tif 000004
【図３】
2005038323.tif 000005
【図４】
2005038323.tif 000006
【図５】
2005038323.tif 000007
【図６】
2005038323.tif 000008
【図７】
2005038323.tif 000009
【図８】
2005038323.tif 000010
【図９】
2005038323.tif 000011
【図１０】
2005038323.tif 000012
【図１１】
2005038323.tif 000013
【図１２】
2005038323.tif 000014
【図１３】
2005038323.tif 000015
【図１４】
2005038323.tif 000016
【図１５】
2005038323.tif 000017
【図１６】
2005038323.tif 000018
【図１７】
2005038323.tif 000019
【図１８】
2005038323.tif 000020